(57)【要約】【課題】ダンパが排気風路を閉塞した際に、その排気風路から外気が吹出口へ入り込んでしまうことのない換気装置を提供する。【解決手段】室内の空気を吸気するための吸気口と、吸気した空気を外へ排気するための排気口と、吸気した空気を室内へ戻す吹出口１４と、空気を暖めるヒータＨと、吸気口から空気を吸引して送風する送風ファンと、この送風ファンから送風される空気の送風方向を排気口や吹出口１４に切り換えるダンパ５０とを備え、このダンパ５０は一端に設けた軸を中心に回動することにより送風方向を切り換える換気装置であって、ダンパ５０と排気口との間の排気風路の両側面に内側に突出する段部３０,３０を形成し、ダンパー５０の背面にリブＬ３,Ｌ３を設け、このリブＬ３,Ｌ３が挿入される溝３１,３１を段部３０,３０の端面３２,３２に設け、ダンパ５０が排気風路を閉塞する位置に位置し、吸気口と吹出口１４とを連通してヒータＨを通電する暖房モードの際に、リブＬ３,Ｌ３が溝３１,３１に挿入されるようにした。【選択図】図８
2007163134.tif 000002
【特許請求の範囲】
【請求項１】
室内の空気を吸気するための吸気口と、吸気した空気を外へ排気するための排気口と、吸気した空気を前記室内へ戻す吹出口と、空気を暖めるヒータと、前記吸気口から空気を吸引して送風する送風機と、この送風機から送風される空気の送風方向を前記排気口や吹出口に切り換えるダンパとを備え、このダンパは一端に設けた軸を中心に回動することにより前記送風方向を切り換える換気装置であって、
前記ダンパと排気口との間の排気風路の両側面に内側に突出する段部を形成し、
前記ダンパー背面または前記段部の背面に凸部を設け、他方に、この凸部が挿入される凹部を設け、
前記ダンパが排気風路を閉塞する位置に位置し、前記吸気口と前記吹出口とを連通して前記ヒータを通電する暖房モードの際に、前記凸部が前記凹部に挿入されるようにしたことを特徴とする換気装置。
【請求項２】
前記ダンパの回動軸を覆う湾曲壁部を設けたことを特徴とする請求項１に記載の換気装置。
【発明の詳細な説明】
【技術分野】
【０００１】
この発明は、浴室換気乾燥機等として使用される換気装置に関する。
【背景技術】
【０００２】
従来から、室内の空気を吸気するための吸気口と、吸気した空気を外へ排気するための排気口と、吸気した空気を前記室内へ戻す吹出口と、前記吸気口から空気を吸引して送風する送風機と、この送風機から送風される空気の送風方向を前記排気口や吹出口に切り換えるダンパとを備えた換気装置が知られている（例えば特許文献１参照）。
【０００３】
かかる換気装置は、図１１に示すように、軸１０５を回動中心としてダンパ１０１が実線位置に切り換えられている際には送風機１０２から送風される空気を吹出口１０３から室内へ戻し、ダンパ１０１が鎖線位置に切り換えられている際には送風機１０２から送風される空気を排気口１０４を介して外へ排気するようになっている。換気装置の運転を停止させたときには、ダンパ１０１は実線位置となり、外気の室内への流入を阻止するようになっている。
【０００４】
換気装置の運転を停止させたときには、ダンパ１０１は実線位置となり、外気の室内への流入を阻止するようになっている。
【０００５】
吹出口１０３から吹き出す空気は図示しないヒータによって暖められて温風にされ、この温風によって例えば浴室内を暖房するものである。
【特許文献１】特開平９−１２６５１６号公報
【発明の開示】
【発明が解決しようとする課題】
【０００６】
ところで、ダンパ１０１は軸１０５を中心にして実線位置と鎖線位置との間を回動するが、この回動がスムーズに行われるように、図１２に示すようにダンパ１０１の側端部１０１ａと風路の内壁１０６との間に所定の間隙Ｓが形成されている。このため、ダンパ１０１が実線位置に切り換えているとき、その間隙Ｓから外気が侵入してくる。特に、外気の風が強い場合、その隙間風の風量が大きくなるので、浴室内を暖房している際にはその暖房効果が低下し、冬の季節では気温が低いことによりその暖房効果が著しく低下してしまう等の問題があり、また、運転の停止中においても、その間隙Ｓからの隙間風により入浴中に肌寒さを感じてしまう等の問題があった。
【０００７】
本発明は上記従来技術の有する問題点に鑑みてなされたもので、その目的とするところは、ダンパが排気風路を閉塞した際に、その排気風路から外気が吹出口へ入り込んでしまうことのない換気装置を提供することにある。
【課題を解決するための手段】
【０００８】
請求項１の発明は、室内の空気を吸気するための吸気口と、吸気した空気を外へ排気するための排気口と、吸気した空気を前記室内へ戻す吹出口と、空気を暖めるヒータと、前記吸気口から空気を吸引して送風する送風機と、この送風機から送風される空気の送風方向を前記排気口や吹出口に切り換えるダンパとを備え、このダンパは一端に設けた軸を中心に回動することにより前記送風方向を切り換える換気装置であって、
前記ダンパと排気口との間の排気風路の両側面に内側に突出する段部を形成し、
前記ダンパー背面または前記段部の背面に凸部を設け、他方に、この凸部が挿入される凹部を設け、
前記ダンパが排気風路を閉塞する位置に位置し、前記吸気口と前記吹出口とを連通して前記ヒータを通電する暖房モードの際に、前記凸部が前記凹部に挿入されるようにしたことを特徴とする。
【発明の効果】
【０００９】
この発明によれば、ダンパが排気風路を閉塞した際に、その排気風路から外気が吹出口へ入り込んでしまうことを防止することができる。このため、冬期等において室内の暖房をしているとき、冷たい外気が侵入しないことにより暖房効率の低下を防止することができる。また、外気の逆流による風切り音等の異音の発生が防止される。さらに、近年の高気密住宅に対応することができる。
【発明を実施するための最良の形態】
【００１０】
以下に本発明に係る換気装置の実施の形態である実施例について図面を参照しつつ説明する。
［第１実施例］
図１及び図２において、１０は浴室用の換気装置であり、この換気装置１０は、予め天井Ｔに設けた開口部ｔ内に収納される換気ケース１２を有し、天井Ｔにネジ穴ＴＨ、ＫＳを介してネジ（図示せず）で止められる。この換気ケース１２の下面には、浴室内の空気を吸気する吸気口１３と浴室内へ風を吹き出す吹出口１４とが設けられている。吹出口１４内にはセラミックヒータＨが設けられており、吹出口から吹き出す空気をそのセラミックヒータＨによって暖めるようになっている。
【００１１】
換気ケース１２の側方には排気口１５が設けられており、この排気口１５は図示しないダクトを介して室外に連通されている。換気ケース１２内にはダンパＤが設けられており、このダンパＤは図２に示す実線位置と破線位置と鎖線位置とに切り換え可能となっている。ダンパＤが実線位置に切り換わると吸気口１３と吹出口１４とが連通されてセラミックヒータＨの通電により暖房モードとなる。ダンパＤが破線位置に切り換わると吸気口１３と排気口１５とが連通されて換気モードとなる。また、ダンパＤが中間位置である鎖線位置に切り換わると、セラミックヒータＨの通電により乾燥モードとなり、衣類の乾燥が行えるようになっている。さらに、セラミックヒータＨを非通電状態にすると涼風モードとして風を吹出口１４から吹き出すようになっている。
【００１２】
換気装置の運転を停止させたときには、ダンパＤが実線位置に切り換えられるとともにセラミックヒータＨが非通電状態となるようになっている。
【００１３】
換気ケース１２内には図３〜図５に示すように遠心ファンＦ１が設けられており、この遠心ファンＦ１によって空気を吸気し、その吸気した空気を吹出口１４から吹き出させたり、排気口１５から排気したりするようになっている。Ｍは遠心ファンＦ１を回転させるモータである。
【００１４】
ダンパＤは、排気口１５と吹出口１４とを連通する風路６０内に設けられており、この風路６０の両側壁部１７,１７には凹状の軸受部２６,２６が形成されている。軸受部２６,２６にはダンパＤの一端に設けた軸Ｊ１の両端部が回動可能に係合しており、この軸Ｊ１を中心にしてダンパＤは回動するようになっている。このダンパＤの回動は図示しない交流同期モータによって行われる。
【００１５】
風路６０の両側壁部１７,１７にはダンパＤと排気口１５との間、すなわち排気風路に内側に突出した段部１８,１８が形成されている。この段部１８,１８の高さ、すなわち風路６０の天板６１から下方に延びる長さは排気口１５から遠ざかるにしたがって小さくなっており、この段部１８の端面１８ａの曲率はダンパＤの曲率と一致している。つまり、段部１８はダンパＤの湾曲形状に倣う形状とされている。これによって、この段部１８はダンパＤが暖房モードであって実線状態にあるとき、このダンパＤの両側背面が段部１８の端面１８ａに密接するようになっている。
【００１６】
これにより、暖房モード時、図６に示すように排気風路がダンパＤにより密閉され、排気口１５から吹出口１４へ外気が入ってしまうのが防止される。このため、外気の風が強い場合でも、浴室内の暖房効果が低下してしまうことや、隙間風による入浴中の肌寒さを感じてしまうことを防止することができる。また、ダンパＤの両側背面が段部１８の端面１８ａに密接することにより、遠心ファンＦ１の停止時に排気口１５から外気が吹出口１４などへ逆流してしまうことが防止され、外気の逆流による風切り音等の異音の発生を防止することができる。
【００１７】
また、排気風路がダンパＤにより密閉されるので、この換気装置は高気密住宅に対応することができる。
［第２実施例］
図７〜図９は第２実施例の換気装置１３０を示す。この換気装置１３０は、第１の実施の形態と同様に換気ケース１２内に設けた遠心ファンＦ２と軸Ｊ２回りに回動するダンパ５０等とを備えている。遠心ファンＦ２は、ファンＦ２を回転駆動する交流誘導式のモータＭ２の駆動軸Ｍａ２に取り付けられており、この遠心ファンＦ２の回転により吸気口１３から浴室の空気を吸気して風路６０へ送風する。
【００１８】
ヒータＨはヒータカバー５９とヒータベース５１とにより挟持され、ヒータカバー５９とヒータベース５１は換気ケース１２内に取り付けられている。そして、ヒータベース５１の底部には吹出口１４が形成されている。
【００１９】
ダンパ５０の軸Ｊ２は、ヒータベース５１に設けた軸受部５２に回転自在に支持されている。ダンパ５０の下面の両側縁部には下方に突出したリブＬ１,Ｌ２が形成され、リブＬ２には長孔５３が設けられている。また、ダンパ５０の背面（図８において上面）の両側部には上方に突出した凸部である一対のリブＬ３,Ｌ４がそれぞれ設けられている。
【００２０】
風路６０の右側方（図８において）には電動室５５が区画形成され、この電動室５５には交流同期モータＭ３が設けられている。電動室５５の区画壁５６にはカム５７が回転自在に装着されており、このカム５７は交流同期モータＭ３によって駆動されて回転するようになっている。カム５７には突起５８が形成されており、この突起５８がダンパ５０のリブＬ２の長孔５３に挿入されている。そして、カム５７が回転することにより、ダンパ５０が軸Ｊ２周りに回動して開閉動作するようになっている。
【００２１】
風路６０の両側壁部１７,１７には、図１０に示すように第１実施形態と同様な段部３０,３０が形成されており、この段部３０,３０の端面３２,３２には長手方向に沿って凹部である溝３１,３１が設けられている。この溝３１,３１にはダンパ５０が閉成した際に図８に示すようにダンパ５０のリブＬ３,Ｌ３が挿入するようになっている。また、ダンパ５０のリブＬ４,Ｌ４は段部３０,３０の側面３３,３３に当接する状態となる。実際には、部品の寸法精度と組立誤差を考慮する必要があるため、そのリブＬ４,Ｌ４と側面３３,３３との間には僅かな隙間が形成されている。
【００２２】
また、図７および図１０に示すように排気口１５の底部には上方に突出するとともに内側に湾曲して軸（回動軸）Ｊ２を覆うように湾曲壁部Ｗが形成されている。この湾曲壁部Ｗは、ダンパ５０の軸Ｊ２回りの隙間からも吹出口１４側へ外気が入り込んでしまうのを防止するものである。
【００２３】
この第２実施例の換気装置１３０によれば、暖房モード時にダンパ５０が図７に示すように閉成されると、ダンパ５０の両側背面が段部３０,３０の端面３２,３２に密接するとともに、図８に示すようにダンパ５０のリブＬ３,Ｌ３が風路６０の段部３０,３０の溝３１,３１内に挿入されるので、ダンパ５０の背面の両側部と風路６０の段部３０,３０の端面３２,３２との間に外気が入りにくいものとなる。この結果、排気口１５から吹出口１４へ外気が入ってしまうのを防止する防止効果が第１実施形態のものより高まることになる。また、ダンパ５０のリブＬ４,Ｌ４が段部３０,３０の側面３３,３３に当接するので、その防止効果はさらに高まることになる。
【００２４】
すなわち、暖房モード時、外が強風の場合であっても排気口１５から吹出口１４へ外気が入ってしまうのを確実に防止することができ、浴室内の暖房効果が低下してしまうことや、隙間風による入浴中の肌寒さを感じてしまうことを確実に防止することができる。また、ダンパ５０の両側背面が段部３０の端面３２に密接するとともにダンパ５０のリブＬ３,Ｌ３が風路６０の段部３０,３０の溝３１,３１内に挿入され、さらにリブＬ４,Ｌ４が段部３０,３０の側面３３,３３に当接することにより、遠心ファンＦ２の停止時に排気口１５から外気が吹出口１４などへ逆流してしまうことが確実に防止され、外気の逆流による風切り音等の異音の発生を確実に防止することができ、高気密住宅に確実に対応することができる。
【００２５】
ダンパ５０が換気位置（破線位置）に切り換えられた場合には、ダンパ５０の両側縁部にリブＬ１,Ｌ２が形成されていることにより、ダンパ５０の両側縁部と風路６０の側壁部６０ａとの間の隙間に空気が入り込んで浴室へ風が漏れてしまうことが防止される。この浴室内への風の漏れの防止により、換気効率が向上することとなる。また、風が浴室内に漏れないことにより、入浴者に違和感を感じさせないことにもなる。
【００２６】
この第２実施例では、段部３０,３０に溝３１,３１を設け、ダンパ５０にリブＬ３,Ｌ３,Ｌ４,Ｌ４を設けているが、逆に段部３０,３０にリブを設け、ダンパ５０に溝を設けてもよい。
【図面の簡単な説明】
【００２７】
【図１】この発明に係る浴室換気装置の外観を示した斜視図である。
【図２】図１に示す浴室換気装置の構成を概略的に示した断面図である。
【図３】図１に示す浴室換気装置の一部を切欠した斜視図である。
【図４】図１に示す浴室換気装置の一部を切欠して遠心ファンとダンパなどを示した斜視図である。
【図５】図１に示す換気装置の風路に設けた段部を示した説明図である。
【図６】図１に示す換気装置のダンパと風路の段部との位置関係を示した説明図である。
【図７】第２実施形態の換気装置の構成を示した縦断面図である。
【図８】図７のＡ−Ａ線に沿う断面図である。
【図９】第２実施形態の換気装置の一部を省略した底面図である。
【図１０】図７に示す換気装置の風路に設けた段部を示した説明図である。
【図１１】従来の換気装置を概略的に示した断面図である。
【図１２】図１１のＢ−Ｂ線に沿う断面図である。
【符号の説明】
【００２８】
１,１３０         浴室換気装置
１２              換気ケース
１３              吸気口
１４              吹出口
Ｆ１,Ｆ２         遠心ファン
１７              側壁部
１８,３０         段部
３１              溝（凹部）
５０              ダンパ
Ｌ３              リブ（凸部）
Ｊ２              軸（回動軸）
【図１】
2007163134.tif 000003
【図２】
2007163134.tif 000004
【図３】
2007163134.tif 000005
【図４】
2007163134.tif 000006
【図５】
2007163134.tif 000007
【図６】
2007163134.tif 000008
【図７】
2007163134.tif 000009
【図８】
2007163134.tif 000010
【図９】
2007163134.tif 000011
【図１０】
2007163134.tif 000012
【図１１】
2007163134.tif 000013
【図１２】
2007163134.tif 000014